(57)【要約】【課題】１回の製氷で複数種類の大きさの氷を得ることができると共に、製氷ごとに氷の大きさを切り換えることのできる製氷装置付冷蔵庫の提供。【解決手段】製氷室４に製氷装置５を装備する。製氷装置５に、複数の製氷凹部７を有する製氷皿８を設ける。製氷装置５に、製氷皿８を支持する支持部９を設ける。支持部９で製氷皿８を水平面と平行な水平姿勢に支持可能とする。支持部９で製氷皿８を水平面に対して傾斜した傾斜姿勢に支持可能とする。製氷皿８の水平姿勢と傾斜姿勢とを切換可能とする。製氷皿８を傾斜姿勢に切り換えて水面２７を傾けることにより、１回の製氷で複数種類の大きさの氷を得る。【選択図】  図２
2015031429.tif 000002
【特許請求の範囲】
【請求項１】
製氷室に製氷装置が装備された製氷装置付冷蔵庫であって、前記製氷装置は、複数の製氷凹部を有する製氷皿と、該製氷皿を支持する支持部とを備え、前記支持部は、前記製氷皿を水平面と平行な水平姿勢及び水平面に対して傾斜した傾斜姿勢に支持可能とされ、製氷皿の水平姿勢と傾斜姿勢とを切換可能とされたことを特徴とする製氷装置付冷蔵庫。
【請求項２】
前記支持部は、製氷皿を支持すると共に回転駆動する回転駆動軸を備え、該回転駆動軸がその中心軸周りに回転して製氷皿を回転させることにより離氷可能とされたことを特徴とする請求項１に記載の製氷装置付冷蔵庫。
【請求項３】
前記回転駆動軸は、前記製氷皿を片持ち支持可能とされたことを特徴とする請求項２に記載の製氷装置付冷蔵庫。
【請求項４】
前記製氷皿に、回転駆動軸を挿入されて係合する係合穴が形成され、該係合穴の断面形状が横長扁平状に設定されると共に、前記回転駆動軸の係合穴への挿入部位が係合穴に挿入可能な大きさの断面扁平状に設定され、前記係合穴の断面形状の短手方向寸法が、回転駆動軸の前記挿入部位の断面形状の短手方向寸法よりも長く、かつ前記挿入部位の断面形状の長手方向寸法よりも短く設定され、前記回転駆動軸が中心軸周りに製氷皿に対して相対的に回転することにより、製氷皿の水平姿勢と、製氷皿の傾斜姿勢のうちの回転駆動軸の中心軸方向において傾斜する軸方向傾斜姿勢と、を切換可能とされたことを特徴とする請求項３に記載の製氷装置付冷蔵庫。
【請求項５】
前記回転駆動軸がその中心軸周りに回転して製氷皿を回転させることにより、製氷皿の水平姿勢と、製氷皿の傾斜姿勢のうちの回転駆動軸の中心軸方向と直交する方向において傾斜する軸直方向傾斜姿勢と、を切換可能とされたことを特徴とする請求項２、３又は４に記載の製氷装置付冷蔵庫。
【発明の詳細な説明】
【技術分野】
【０００１】
本発明は、製氷室に製氷装置が装備された製氷装置付冷蔵庫に関するものである。
【背景技術】
【０００２】
一般に、冷蔵庫の製氷室には、水を溜めて製氷するための複数の製氷凹部を有する製氷皿が設けられ、その複数の製氷凹部が同一形状に形成されて、同一形状の氷を製氷するようになっている。
【０００３】
このような同一形状の氷を製氷する冷蔵庫に対し、例えば特許文献１には、製氷皿への給水量を変化させて、異なる大きさの氷を製氷する冷蔵庫が開示されている。また、例えば特許文献２には、製氷皿の製氷凹部として大氷粒製氷用や小氷粒製氷用の大きさの異なる凹形状部を形成して、異なる大きさの氷を製氷する冷蔵庫が開示されている。
【先行技術文献】
【特許文献】
【０００４】
【特許文献１】特開平６−３００９（段落０００４）
【特許文献２】特開２００１−１９４０３７（段落０００９）
【発明の概要】
【発明が解決しようとする課題】
【０００５】
ところが、特許文献１の冷蔵庫は、製氷皿への給水量を変化させるものであり、製氷ごとに給水量を変化させて異なる大きさの氷を製氷できるものの、１回の製氷で得られる氷は同じ大きさであり、複数種類の大きさの氷を得るには、複数回の製氷を必要とする分、その製氷に要する時間が長くなる。
【０００６】
また、特許文献２の冷蔵庫は、製氷皿に大きさの異なる製氷凹部を形成したものであり、１回の製氷で複数種類の大きさの氷を得ることができるものの、製氷ごとに氷の大きさを切り換えることはできない。
【０００７】
本発明は、１回の製氷で複数種類の大きさの氷を得ることができると共に、製氷ごとに氷の大きさを切り換えることのできる製氷装置付冷蔵庫の提供を目的とする。
【課題を解決するための手段】
【０００８】
上記目的を達成するために、本発明に係る製氷装置付冷蔵庫は、製氷室に製氷装置が装備された製氷装置付冷蔵庫であって、前記製氷装置は、複数の製氷凹部を有する製氷皿と、該製氷皿を支持する支持部とを備え、前記支持部は、前記製氷皿を水平面と平行な水平姿勢及び水平面に対して傾斜した傾斜姿勢に支持可能とされ、製氷皿の水平姿勢と傾斜姿勢とを切換可能とされたものである。
【０００９】
また、前記支持部は、製氷皿を支持すると共に回転駆動する回転駆動軸を備え、該回転駆動軸がその中心軸周りに回転して製氷皿を回転させることにより離氷可能とされたものであってもよい。
【００１０】
また、前記回転駆動軸は、前記製氷皿を片持ち支持可能とされたものであってもよい。      
【００１１】
また、前記支持部は、回転駆動軸に係合可能に製氷皿に形成された係合部を備え、前記回転駆動軸と係合部との係合状態を切り換えることにより、製氷皿の水平姿勢と、製氷皿の傾斜姿勢のうちの回転駆動軸の中心軸方向において傾斜する軸方向傾斜姿勢と、を切換可能とされたものであってもよい。
【００１２】
また、前記製氷皿に、回転駆動軸を挿入されて係合する係合穴が形成され、該係合穴の断面形状が横長扁平状に設定されると共に、前記回転駆動軸の係合穴への挿入部位が係合穴に挿入可能な大きさの断面扁平状に設定され、前記係合穴の断面形状の短手方向寸法が、回転駆動軸の前記挿入部位の断面形状の短手方向寸法よりも長く、かつ前記挿入部位の断面形状の長手方向寸法よりも短く設定され、前記回転駆動軸が中心軸周りに製氷皿に対して相対的に回転することにより、製氷皿の水平姿勢と、製氷皿の傾斜姿勢のうちの回転駆動軸の中心軸方向において傾斜する軸方向傾斜姿勢と、を切換可能とされたものであってもよい。
【００１３】
また、前記回転駆動軸を回転させて挿入部位の扁平形状を水平方向に合わせることによって製氷皿が軸方向傾斜姿勢に設定され、前記製氷皿を回転させて離氷させる方向とは反対方向に回転駆動軸を回転させることによって製氷皿が水平姿勢に設定されるものであってもよい。
【００１４】
また、前記回転駆動軸がその中心軸周りに回転して製氷皿を回転させることにより、製氷皿の水平姿勢と、製氷皿の傾斜姿勢のうちの回転駆動軸の中心軸方向と直交する方向において傾斜する軸直方向傾斜姿勢と、を切換可能とされたものであってもよい。
【００１５】
また、前記製氷皿に給水する給水部が設けられ、前記製氷皿は、給水部からの給水時に水平姿勢とされ、給水後に傾斜姿勢とされるものであってもよい。
【発明の効果】
【００１６】
以上のとおり、本発明によると、製氷皿の水平姿勢と傾斜姿勢とを切換可能とするので、１回の製氷で複数種類の大きさの氷を得ることができると共に、製氷ごとに氷の大きさを変更することができる。
【図面の簡単な説明】
【００１７】
【図１】本発明に係る製氷装置付冷蔵庫の断面図
【図２】製氷装置の側面図で、（ａ）は製氷皿の水平姿勢を示し、（ｂ）は製氷皿の軸方向傾斜姿勢を示す
【図３】回転駆動軸と係合穴との係合状態を示す要部断面図で、（ａ）は製氷皿の水平姿勢を示し、（ｂ）は製氷皿の軸方向傾斜姿勢を示す
【図４】製氷皿の正面図で、（ａ）は製氷皿の水平姿勢を示し、（ｂ）は製氷皿の軸方向傾斜姿勢を示し、（ｃ）は製氷皿が離氷回転する直前の状態を示す
【図５】別の形態の製氷装置の製氷皿姿勢の切換構造を示す図で、（ａ）は製氷皿の水平姿勢を示し、（ｂ）は製氷皿の軸方向傾斜姿勢を示す
【図６】さらに別の形態の製氷装置の背面図で、（ａ）は製氷皿の水平姿勢を示し、（ｂ）は製氷皿の軸直方向傾斜姿勢を示す
【発明を実施するための形態】
【００１８】
以下、本発明に係る製氷装置付冷蔵庫の実施の形態について、図面を用いて説明する。
【００１９】
図１〜図４に示すように、製氷装置付冷蔵庫１は、その上部に設定された冷蔵室２と、冷蔵室２の下方に設定された冷凍室３と、冷凍室３の室内上部に設定された製氷室４と、製氷室４に装備した製氷装置５と、を備えたものであり、さらに、その製氷装置５に、複数の製氷凹部７を有する製氷皿８と、製氷皿８を支持する支持部９と、を備え、その支持部９によって、製氷皿８を、水平面と平行な水平姿勢と、水平面に対して傾斜した傾斜姿勢と、の複数種類の姿勢に支持すると共に、その水平姿勢と傾斜姿勢とを切換可能としたものである。
【００２０】
製氷皿８は、複数の製氷凹部７を例えば冷蔵庫１の正面側から見て左右に２列で前後に４列に並設してなり、その複数の製氷凹部７が同一形状に形成されている。この製氷皿８の正面側端部の中央には、後述する回転駆動軸１６を挿入して係合する断面横長扁平状の係合穴１１が形成され、製氷皿８の背面側端部の中央には、後述する両持ち支持部１８で支持される断面円形の両持ち軸１２が突設されている。なお、製氷皿８には製氷サーミスターが設けられ、製氷されたことを検知するようになっている。
【００２１】
支持部９は、製氷皿８を回転可能に支持するための駆動部１３と、製氷皿８及び駆動部１３を支持すると共に、その上方及び周囲を覆う支持板１４と、を備え、支持板１４で仕切られた空間が製氷室４とされる。製氷室４の下方には、貯氷ケース１５が設けられ、製氷装置５で製氷した氷を貯めるようになっている。
【００２２】
図２〜図４に示すように、駆動部１３には、製氷皿８の係合穴１１に挿入されて製氷皿８を片持ち支持すると共に回転駆動する回転駆動軸１６が突設され、この回転駆動軸１６がその中心軸周りに回転して製氷皿８を回転させることにより、製氷した氷を製氷皿８から離氷して貯氷ケース１５に落下させるようになっている。
【００２３】
係合穴１１と回転駆動軸１６の係合穴１１への挿入部位とは、回転駆動軸１６の挿入部位を係合穴１１に挿入可能な大きさに設定されると共に、互いに係合して回転駆動軸１６の回転を製氷皿８の伝達可能なよう断面扁平状に形成されている。係合穴１１は、その断面形状を横長扁平状に設定されると共に、その断面形状の短手方向寸法が、回転駆動軸１６の挿入部位の断面形状の短手方向寸法よりも長く、かつ挿入部位の断面形状の長手方向寸法よりも短く設定されている。
【００２４】
係合穴１１及び回転駆動軸１６は、互いの短手方向を合わせることによって、緩やかに係合して製氷皿８を傾けることができ、回転駆動軸１６を回転させてその扁平形状の両端部を係合穴１１の上下面に圧接することによって、強く係合して製氷皿８を水平に支持することができる。これにより、回転駆動軸１６を中心軸周りに製氷皿８に対して相対的に回転させて、製氷皿８の水平姿勢と、製氷皿８が回転駆動軸１６の中心軸方向において傾斜する軸方向傾斜姿勢と、を切り換えることができる。
【００２５】
支持板１４のうちの製氷皿８の背面側を覆う部位には、製氷皿８の両持ち軸１２を上下方向に案内するスリット状のガイド部１７が形成されている。ガイド部１７は、製氷皿８の水平姿勢と軸方向傾斜姿勢とを切り換える際に、製氷皿８のうちの回転駆動軸１６と反対側を上下方向に案内して、製氷皿８の横ずれを阻止する。
【００２６】
ガイド部１７の下端は、製氷皿８を軸方向傾斜姿勢に切り換えた際、製氷皿８の両持ち軸１２を受けて、回転駆動軸１６との間で製氷皿８を軸方向傾斜姿勢に両持ち支持する両持ち支持部１８とされる。両持ち支持部１８は、製氷皿８の両持ち軸１２を受けるだけの構造とされ、製氷皿８を水平姿勢に切り換えた際、ガイド部１７に沿って両持ち軸１２が上方に移動することにより、製氷皿８に対する支持を解除するようになっている。
【００２７】
製氷皿８に給水する水は、冷蔵室２に設けられた給水タンク１９に貯められ、この給水タンク１９から給水ポンプ２０、給水パイプ２１及びその吐出口に設定された給水部２２を介して製氷皿８に給水される。なお、図１において、２３はパイプヒーター、２４は冷気循環ファン、２５は蒸発器、２６はタンクヒーターである。
【００２８】
上記構成によれば、製氷皿８の係合穴１１に回転駆動軸１６を挿入して片持ち支持すると共に、係合穴１１の断面形状の短手方向寸法を回転駆動軸１６の挿入部位の断面形状の短手方向寸法よりも長く設定するようにしている。これにより、回転駆動軸１６を回転させて製氷皿８の水平姿勢と軸方向傾斜姿勢とを切り換えることができ、製氷時の製氷皿８の姿勢を適宜選択することにより、種々の大きさの氷を製氷することができる。
【００２９】
具体的にその手順を説明すると、まず、製氷皿８から離氷させる方向とは反対方向（図４における反時計回り）に回転駆動軸１６を回転させて、回転駆動軸１６の挿入部位の両端部を係合穴１１の上下面に圧接し、係合穴１１と回転駆動軸１６とを強く係合して製氷皿８を水平姿勢に支持する（図１、図２（ａ）、図３（ａ）、図４（ａ）参照）。この水平姿勢の製氷皿８に給水することにより、製氷皿８から水をこぼすことなく、給水部２２から製氷皿８に給水することができる。
【００３０】
製氷皿８に給水した後、大きさが異なる大中小の氷を製氷する場合には、製氷皿８から離氷させる方向（図４における時計回り）に回転駆動軸１６を回転させて挿入部位の扁平形状を水平方向に合わせ、係合穴１１と回転駆動軸１６とを緩やかに係合させる。この状態では、係合穴１１の上下面と回転駆動軸１６の挿入部位との間に隙間があり、回転駆動軸１６に対して製氷皿８がその自重及び水の重量で傾きながら、その両持ち軸１２が支持板１４の両持ち支持部１８で支持されるまでガイド部１７に沿って下方に案内されて、製氷皿８が軸方向傾斜姿勢に支持される（図２（ｂ）、図３（ｂ）、図４（ｂ）参照）。
【００３１】
この場合、給水後に製氷皿８を傾斜姿勢にするので、製氷皿８から水をこぼすことなく、製氷皿８に対して相対的に水面２７を傾斜させることができ、このまま製氷することにより、大きさが異なる大中小の氷を製氷することができる。
【００３２】
また、水平姿勢の製氷皿８に給水した後、複数の同じ大きさの氷を製氷する場合には、回転駆動軸１６を回転させることなく製氷皿８の水平姿勢を維持して、製氷皿８に対して水面２７を傾斜させることなく製氷すればよい。
【００３３】
製氷後、製氷皿８から離氷させる方向（図４における時計回り）に回転駆動軸１６を回転させ、回転駆動軸１６の挿入部位の両端部を給水時の水平姿勢とは上下を反対にしつつ、係合穴１１の上下面に圧接し、製氷皿８を水平姿勢に支持する（図４（ｃ）参照）。さらに、製氷皿８の背面側端部の回転をストッパー（図示せず）で規制しつつ、製氷皿８から離氷させる方向（図４における時計回り）に回転駆動軸１６を回転させることによって、製氷皿８を捻じって離氷する。
【００３４】
製氷皿８から離氷した後、ストッパーを解除し、回転駆動軸１６で製氷皿８を回転させて、氷を貯氷ケース１５に落下させて貯める。
【００３５】
なお、本発明は、上記の実施の形態に限定されるものではなく、本発明の範囲内において、適宜変更を加えることができる。例えば、製氷皿８に係合穴１１を形成して回転駆動軸１６の挿入部位を挿入する代わりに、回転駆動軸１６に係合穴を形成して製氷皿８に挿入突起を形成してもよい。また、係合穴１１及び挿入部位を断面扁平状に設定する代わりに、挿入部位の断面形状を軸方向で変化させ、挿入部位を軸方向に移動させて係合穴との係合状態を切り換えるようにしてもよい。すなわち、支持部の一部を構成するものとして、製氷皿８に、回転駆動軸１６に係合可能な係合部を形成し、回転駆動軸１６と係合部との係合状態を切り換えることにより、製氷皿８の水平姿勢と製氷皿８の軸方向傾斜姿勢とを切り換えるようにしてもよい。
【００３６】
また、水平姿勢の製氷皿８を回転駆動軸１６で片持ち支持する代わりに、回転駆動軸１６と両持ち支持部１８とで両持ち支持するようにしてもよい。具体的には、例えば、図５に示すように、製氷皿８の正面側端部に係合板２８を設けてスライド溝２９、３０を形成し、回転駆動軸１６に係合突起３１、３２を設けてスライド溝２９、３０に沿って移動させることにより、製氷皿８の正面側端部を上下動させて製氷皿８の水平姿勢と製氷皿８の軸方向傾斜姿勢とを切り換えることができる。
【００３７】
図５において、スライド溝２９は水平方向に形成されて係合突起３１が係合し、スライド溝３０は略上下方向に形成されて係合突起３２が係合している。図５（ａ）では、係合突起３２がスライド溝３０の下端に位置して製氷皿８を水平姿勢にし、この状態から回転駆動軸１６を時計回りに回転させることにより、製氷皿８が回転して離氷させることができる。また、図５（ａ）の状態から回転駆動軸１６を反時計回りに回転させることにより、図５（ｂ）のように、係合突起３２がスライド溝３０に沿って上方に移動すると共に、係合突起３１がスライド溝２９に沿って右方に移動しながら係合板２８を高さ（ｈ）だけ押し下げて、製氷皿８を軸方向傾斜姿勢にする。
【００３８】
また、図６に示すように、製氷皿８の水平姿勢と傾斜姿勢とを切り換えるには、製氷皿８を軸方向傾斜姿勢にするだけでなく、回転駆動軸１６をその中心軸周りに回転させて製氷皿８を回転させることにより、製氷皿８の水平姿勢と、製氷皿８が回転駆動軸１６の中心軸方向と直交する方向において傾斜する軸直方向傾斜姿勢と、を切り換えるようにしてもよい。
【００３９】
この場合、図６（ａ）に示す製氷皿８の水平姿勢で給水した後、製氷皿８から離氷させる方向（図６における時計回り）に回転駆動軸１６を回転させて停止し、製氷皿８を図６（ｂ）に示す軸直方向傾斜姿勢にして製氷皿８に対して相対的に水面２７を傾斜させる。この軸直方向傾斜姿勢で製氷した後、回転駆動軸１６をさらに回転させて離氷させることにより、左右の製氷凹部７で大きさの異なる大小の氷を製氷することができる。
【００４０】
さらに、上記のように係合穴１１及び回転駆動軸１６の挿入部位を扁平状に設定して製氷皿８を軸方向傾斜姿勢に設定可能とすると共に、製氷皿８を回転途中で停止可能にして軸直方向傾斜姿勢に設定可能としてもよい。これにより、製氷皿８を軸方向傾斜姿勢及び軸直方向傾斜姿勢の両方に切換可能として、均一な大きさの氷、大中小の大きさ氷又は大小の大きさの氷を適宜選択することができる。
【００４１】
また、複数の製氷凹部７は、その数がいくつであってもよく、また、必ずしも同一形状でなくてもよい。また、回転駆動軸１６を製氷皿８の姿勢の切換と離氷時の製氷皿８の回転駆動とに兼用するだけでなく、専用の切換構造を設けて製氷皿８の姿勢を切り換えるようにしてもよい。
【００４２】
以上の説明から明らかな通り、本発明に係る製氷装置付冷蔵庫１は、製氷室４に製氷装置５を装備したものであり、さらに、製氷装置５が、複数の製氷凹部７を有する製氷皿８と、この製氷皿８を支持する支持部９とを備え、その支持部９を、製氷皿８を水平面と平行な水平姿勢及び水平面に対して傾斜した傾斜姿勢に支持可能とし、製氷皿８の水平姿勢と傾斜姿勢とを切換可能としたものである。
【００４３】
この構成によれば、製氷皿８を水平面に対して傾斜した傾斜姿勢に支持可能とするので、一度の製氷で大きさの異なる複数種類の氷を作ることができる。しかも、製氷皿８の水平姿勢と傾斜姿勢とを切換可能とするので、均一な大きさの氷を作るか、あるいは大きさの異なる複数種類の氷を作るかを適宜選択することができる。
【００４４】
さらに、支持部９に、製氷皿８を支持すると共に回転駆動する回転駆動軸１６を備え、この回転駆動軸１６をその中心軸周りに回転させて製氷皿８を回転させることにより離氷可能としてもよい。この構成によれば、製氷皿８の姿勢を切り換える支持部９に回転駆動軸１６を備えて、この回転駆動軸１６で製氷皿８を回転させて離氷するので、回転駆動軸１６を製氷皿８の姿勢の切換と製氷皿８からの離氷とに対して兼用することができる。
【００４５】
また、回転駆動軸１６を、製氷皿８を片持ち支持可能としてもよい。この構成によれば、製氷皿８を片持ち支持するので、製氷皿８の端部をわずかに動かすだけで、反対側の端部を大きく移動させて製氷皿８の姿勢を切り換えることができ、製氷皿８の姿勢を切り換えるための構造の小型化を図ることができる。
【００４６】
また、支持部に、回転駆動軸１６に係合可能に製氷皿８に形成した係合部を備え、回転駆動軸１６と係合部との係合状態を切り換えることにより、製氷皿８の水平姿勢と、製氷皿の傾斜姿勢のうちの回転駆動軸１６の中心軸方向において傾斜する軸方向傾斜姿勢と、を切換可能としてもよい。この構成によれば、製氷皿８に係合部を形成して回転駆動軸１６に係合させるので、その係合状態を切り換えるだけで、製氷皿８から離氷させるための回転駆動軸１６を用いて製氷皿８の姿勢を切り換えることができる。
【００４７】
より具体的には、製氷皿８に、回転駆動軸１６を挿入して係合する係合穴１１を形成し、この係合穴１１の断面形状を横長扁平状に設定すると共に、回転駆動軸１６の係合穴１１への挿入部位を係合穴１１に挿入可能な大きさの断面扁平状に設定し、係合穴１１の断面形状の短手方向寸法を、回転駆動軸１６の挿入部位の断面形状の短手方向寸法よりも長く、かつ挿入部位の断面形状の長手方向寸法よりも短く設定し、回転駆動軸１６を中心軸周りに製氷皿８に対して相対的に回転させることにより、製氷皿８の水平姿勢と、製氷皿８の傾斜姿勢のうちの回転駆動軸１６の中心軸方向において傾斜する軸方向傾斜姿勢と、を切換可能とするようにしてもよい。
【００４８】
この構成によれば、係合穴１１と回転駆動軸１６の挿入部位とを断面扁平状に設定し、係合穴１１の扁平形状の短手方向寸法を回転駆動軸１６の扁平形状の短手方向寸法よりも長く設定するので、回転駆動軸１６を適宜回転させて、係合穴１１と回転駆動軸１６との係合状態を切り換えることができる。
【００４９】
すなわち、回転駆動軸１６を適宜回転させることにより、回転駆動軸１６の扁平形状の両端部を係合穴１１の上下面に圧接して、係合穴１１と回転駆動軸１６とを強く係合し、製氷皿８を水平姿勢に切り換えることができる。また、回転駆動軸１６を適宜回転させることにより、係合穴１１及び回転駆動軸１６の扁平形状の短手方向を合わせて、係合穴１１と回転駆動軸１６とを緩やかに係合し、回転駆動軸１６に対して製氷皿８を傾けて、製氷皿８を軸方向傾斜姿勢に切り換えることができる。
【００５０】
さらに、回転駆動軸１６を回転させて挿入部位の扁平形状を水平方向に合わせることによって製氷皿８を軸方向傾斜姿勢に設定し、製氷皿８を回転させて離氷させる方向とは反対方向に回転駆動軸１６を回転させることによって製氷皿８を水平姿勢に設定するようにしてもよい。この構成によれば、製氷皿８を水平姿勢に設定するのに、離氷させる方向とは反対方向に回転駆動軸１６を回転させるので、離氷させる方向の途中において、正確な回転量で回転駆動軸１６を止める必要がなく、より確実に製氷皿８の水平姿勢を維持することができる。
【００５１】
また、製氷皿８のうちの回転駆動軸１６と反対側に、回転駆動軸１６との間で製氷皿８を軸方向傾斜姿勢に両持ち支持する両持ち支持部１８を設け、この両持ち支持部１８を、水平姿勢の製氷皿８に対する支持を解除可能としてもよい。この構成によれば、軸方向傾斜姿勢の製氷皿８を回転駆動軸１６と両持ち支持部１８とで両持ち支持するので、製氷皿８を傾斜させたまま安定して支持して、その軸方向傾斜姿勢を維持することができる。
【００５２】
また、製氷皿８のうちの回転駆動軸１６と反対側を上下方向に案内するガイド部１７を設けてもよい。この構成によれば、ガイド部１７で製氷皿８の反対側を上下方向に案内するので、片持ち支持した製氷皿８の横ずれを阻止することができる。
【００５３】
また、回転駆動軸１６をその中心軸周りに回転させて製氷皿８を回転させることにより、製氷皿８の水平姿勢と、製氷皿８の傾斜姿勢のうちの回転駆動軸１６の中心軸方向と直交する方向において傾斜する軸直方向傾斜姿勢と、を切換可能としてもよい。この構成によれば、回転駆動軸１６で製氷皿８を回転させて軸直方向傾斜姿勢にするので、製氷皿８の姿勢を切り換えるための構造を簡単にすることができる。
【００５４】
また、製氷皿８に給水する給水部２２を設け、製氷皿８を、給水部２２からの給水時に水平姿勢とし、給水後に傾斜姿勢とするようにしてもよい。この構成によれば、給水部２２からの給水時に製氷皿８を水平姿勢にするので、製氷皿８から水をこぼすことなく給水することができる。
【００５５】
また、複数の製氷凹部を同一形状に形成してもよい。この構成によれば、製氷皿８を傾斜姿勢にして大きさの異なる複数種類の氷を作るだけでなく、製氷皿８を水平姿勢にして均一な大きさの氷を作ることができる。
【００５６】
また、冷蔵室２に、製氷皿８に給水する水を貯める給水タンク１９を設けてもよい。この構成によれば、冷蔵室２に給水タンク１９を設けるので、製氷皿８への給水の手間を省くことができると共に、製氷皿８に給水する水を冷蔵室２で冷やしておくことができ、製氷に要する時間を短くすることができる。
【符号の説明】
【００５７】
１      製氷装置付冷蔵庫
２      冷蔵室
３      冷凍室
４      製氷室
５      製氷装置
７      製氷凹部
８      製氷皿
９      支持部
１１    係合穴
１２    両持ち軸
１３    駆動部
１４    支持板
１５    貯氷ケース
１６    回転駆動軸
１７    ガイド部
１８    両持ち支持部
１９    給水タンク
２２    給水部
２７    水面
２８    係合板
２９、３０  スライド溝
３１、３２  係合突起
【図１】
2015031429.tif 000003
【図２】
2015031429.tif 000004
【図３】
2015031429.tif 000005
【図４】
2015031429.tif 000006
【図５】
2015031429.tif 000007
【図６】
2015031429.tif 000008